(57)【要約】      （修正有）【課題】コンパクトかつ軽量で、着用感に優れ、更には環境保護の面においても廃却時、廃品回収が容易な髪挟みを提供する。【解決手段】閉曲線を形成する外枠部１とその外枠部１の一部から外枠部１の内側に向かって張り出す髪押え片２とから成る、適宜の弾性と剛性を備えたプラスチック製の髪挟み１０。髪押え片２は、波板状に構成され、その基部は外枠部から斜め下向きに張り出しており、その先端側略３分の２は、自由状態では、外枠部１の上に出ている。髪押え片２の自由端は、上方に向かって突出するエッジとなっている。外枠部１には装飾が施される。【選択図】図１
0003150331.tif 000002
【実用新案登録請求の範囲】
【請求項１】
閉曲線を形成する外枠部（１）とその外枠部（１）の一部から外枠部（１）の内側に向かって張り出す髪押え片（２）とから成る、適宜の弾性と剛性を備えたプラスチック製の髪挟み（１０）。
【請求項２】
髪押え片（２）が、波板状に構成され、その基部は外枠部（１）から斜め下向きに張り出しており、その先端側略３分の２は、自由状態では、外枠部（１）の上に出ている、請求項１に記載の髪挟み（１０）。
【請求項３】
髪押え片（２）の自由端（２１）が、上方に向かって突出するエッジとなっている請求項１又は２に記載の髪挟み（１０）。
【請求項４】
外枠部（１）の輪郭形状が、円形、楕円形、ハート形、星形、梅鉢形、花形、木の葉形、犬の顔形、猫の顔形、蝶形から成る群の中から選ばれた一形状である、請求項１乃至３の何れか一に記載の髪挟み（１０）。
【請求項５】
外枠部（１）に装飾が施された請求項１乃至４の何れか一に記載の髪挟み（１０）。
【考案の詳細な説明】
【技術分野】
【０００１】
本考案は、髪挟みに関し、特に、その全体若しくは主要部がプラスチック製の美麗でコンパクトな髪挟みに関する。
【背景技術】
【０００２】
一般によく知られている髪挟みは非常に多い。その中で最も多いのが、弾性を利用して髪を挟む形のものである。押えさえるだけで簡単に髪をまとめることができるため、便利で実用性に富む。しかし、経済効率を追求し、小さく精巧で利便性があることを重視し、流行や変化のあるスタイルを信奉する現代人にとって、この髪挟みはかさばって重く、簡単にヘアスタイルを変えることができない。また、弾性を持つ部分は金属製であるが、金属は回収が非効率的で汚染を引き起こし易いことから、環境保護の観点から理想的ではない。よって改良により機能を向上させる必要があることは明らかである。
必要とされるのは、小さく精巧で利便性を持ち、外観が美しい弾性のある髪挟みであり、環境保護の面で効率と利益が期待でき、使用者が簡単に使用できる髪挟み構造である。
【先行技術文献】
【特許文献】
【０００３】
【特許文献１】特開平１０‐２６２７１８号公報
【考案の概要】
【考案が解決しようとする課題】
【０００４】
本考案の目的は上記公知の髪挟みの問題点を解決することであり、コンパクトかつ軽量でで、着用感に優れ、更には環境保護の面においても廃却時、廃品回収が容易な髪挟みを提供することである。
【課題を解決するための手段】
【０００５】
上記の課題は、閉曲線を形成する外枠部とその外枠部の一部から外枠部の内側に向かって張り出す髪押え片とから成る、適宜の弾性と剛性を備えたプラスチック製の髪挟みに依って達成される。
尚、本明細書において、上方又は上面とは、髪挟みを装着した場合の頭皮とは反対側、即ち、装着者から見ての上方又は上面を言うものとし、下方又は下面とは、装着者の頭皮側、即ち、装着者から見ての下方又は下面を言うものとする。
【０００６】
外枠部の輪郭形状は、例えば円環状や楕円環状などの単純な幾何学形状であっても良いが、蝶や、犬猫などの動物、花その他を象ったもの、ハート型、星形等とすることが推奨され、亦適宜の細工、彫刻、彩色等により装飾を施すことも推奨される。
外枠部の厚み方向中心断面は、平面状であっても良いが、装着者の頭部形状にフィットするよう、適宜の曲率を持った湾曲面又は椀状などの形状とすることが望ましい。
外枠部を形成する材の中心線直角断面は、方形の外、円形、楕円形等とすることができる。
【０００７】
髪押え片は、外枠部の適所から枠の内側に張り出すように、外枠部と一体に成形される。
髪押え片は、外枠部より薄く、より柔軟性に富むよう構成され、これにより外枠部との間で、束ねた髪を挟み、留め付けるものである。
外枠部そのものが美麗な髪飾りとなると共に、外枠部の上方で髪は適宜の形状に整えられるので、着用者は様々な髪型を楽しむことができる。
【０００８】
髪を確実に押えるため、髪押え片は、全体が波板状に形成され、外枠部に対してその固定端近傍の部分は下向きに、自由端部は上向に傾斜するよう構成される。
又、他の一実施例においては、髪押えの一端は、外枠部の下面又は下側の角隅部から下向き又は斜め下向きに張り出すよう構成される。
又、髪押え片は、その柔軟性を増すため、縦方向に溝又は切れ目を設けることが推奨される。
【考案の効果】
【０００９】
本考案は上記の如く構成されるから、本考案によるときは、コンパクトかつ軽量で、着用感に優れ、更には環境保護の面においても廃却時、廃品回収が容易な髪挟みを提供することを得る。
【図面の簡単な説明】
【００１０】
【図１】図１は、本考案に係る髪挟みの一実施例を示す斜視図である。
【図２】図２は、図１に示した髪挟みの上面図である。
【図３】図３は、本考案に係る髪挟みの他の一実施例を示す斜視図である。
【図４】図４は、図１〜図３に示した髪挟みの側面図である。
【図５】図５は、図４に示した髪はさみで髪を挟むときの状態を示す説明図である。
【図６】図６は、図５に示した状態から更に進んで髪を挟みんだ状態を示す説明図である。
【図７】図７は、本考案に係る髪挟みの他の一実施例を示す上面図である。
【図８】図８は、本考案に係る髪挟みの装着例を示す説明図である。
【考案を実施するための形態】
【実施例１】
【００１１】
図１及び２に示す実施例１において、髪挟み１０は、蝶を模して構成された外枠部１と、その外枠部１の尾部から外枠部１の内側空所３に張り出している髪押え２とから成る。
本実施例において、外枠部１は、図４、５及びに示されているように、僅かに湾曲している。
【００１２】
髪押え片２は、波板状に構成され、その基部は外枠部１０から斜め下向きに張り出しているが、その先端側略３分の２は、自由状態では、外枠部１０の上に出ており、先端部２１は更に上向きに尖った形となっている。
【００１３】
髪を挟むときの状態は図５及び図６に示されている。
髪を挟む場合には先ず、図５に示されているように髪押え片２の先端２１を押し下げ、外枠部４との間に髪４を挟み、手を離すと、髪４が外枠部１と髪押え片２の間に纏めて挟まれ、保持される。
【００１４】
図６には、髪押え片２の先端２１が、外枠部１の下面と同じ高さに描かれているが、この先端２１の位置は、挟む髪の量と、空所３の面積によって変わる。
挟む髪の量が多ければ、先端２１は外枠部１の下面より低い位置に止まるが、髪の量が少なければ外枠部１の上面より高い位置まで上がる。
然しながら何れにせよ、髪は確実に纏められ、セットされる。
使用者が髪挟み１０を髪に着用した状態は図８に示されている。
【００１５】
外枠部１及び髪押え片２の形状は、上記のものに限定されない。
例えば図７に示された外枠部１は猫の顔を象ったものであり、髪押え片２も先端が丸みを帯びた杓文字形となっている。
【００１６】
外枠部１の形状は、閉曲線状であればどのような形でも良く、例えば、円形、楕円形、ハート形、星形、梅鉢形、その他、花や木の葉、犬猫その他の動物、虫などを模したもの等が考えられ、又、髪押え片２の形状も、櫛形、Ｙ字形、U字形等であって良く、又、外枠部の断面形状も方形、長方形、円形、楕円形、など適宜の形状とすることができる。  又、外枠部１の表面には、種々の装飾を施すことが推奨される。
【産業上の利用可能性】
【００１７】
本考案に係る髪挟みは、コンパクトで軽く、簡単かつ安価に製造でき、頭部圧迫による不快感を生じさせず、着用時に様々なスタイルを作り出すことが可能であり、実用性において一般によく知られている金属製髪挟みより優れていることは明らかであり、実施すれば多大の効果がある。
【符号の説明】
【００１８】
１０      髪挟み
１        外枠部
２        髪押え片
３        空所
４        髪
【図１】
0003150331.tif 000003
【図２】
0003150331.tif 000004
【図３】
0003150331.tif 000005
【図４】
0003150331.tif 000006
【図５】
0003150331.tif 000007
【図６】
0003150331.tif 000008
【図７】
0003150331.tif 000009
【図８】
0003150331.tif 000010